(57)【要約】【課題】人の手に近い動作により頭皮ケア効果を向上させることができる頭皮ケア器を提供する。【解決手段】フレーム２と、このフレーム２に収納される電動機３と、この電動機３の回転運動を伝達する伝達機構４と、この伝達機構４に接続された施療子とを有する頭皮ケア器１において、前記伝達機構４が、回転機構部７と、この回転機構部７の回転を往復動に変換する変換機構部８とを備え、前記施療子が、前記回転機構部７に接続されて回転運動を行う複数の回転施療子５と、前記変換機構部８に接続されて往復運動を行う一つ又は複数の往復施療子６とを備えることで、従来に比べて人の手に近い動きでマッサージすることができるので、頭皮ケア効果を向上させることができる。【選択図】図５
2015128486.tif 000002
【特許請求の範囲】
【請求項１】
フレームと、このフレームに収納される電動機と、この電動機の回転運動を伝達する伝達機構と、この伝達機構に接続された施療子とを有する頭皮ケア器において、
前記伝達機構が、回転機構部と、この回転機構部の回転を往復動に変換する変換機構部とを備え、
前記施療子が、前記回転機構部に接続した回転施療子と、前記変換機構部に接続した往復施療子とを備えることを特徴とする頭皮ケア器。
【請求項２】
前記回転施療子及び往復施療子が面対称状に配列されていると共に、面対称状となる前記回転施療子の第一部分と第二部分とが、逆方向に回転することを特徴とする請求項１記載の頭皮ケア器。
【請求項３】
前記第一部分と第二部分の回転施療子が、面対称で回転することを特徴とする請求項２記載の頭皮ケア器。
【請求項４】
前記第一部分と第二部分とが、それぞれ複数の回転施療子を有すると共に、前記第一部分の回転施療子同士及び第二部分の回転施療子同士が、同一方向に回転することを特徴とする請求項３記載の頭皮ケア器。
【請求項５】
前記伝達機構のうち、外側に設けられた回転施療子を回転させるための部分を、内側に設けられた回転施療子を回転させる部分に対して内側に傾けて設けたことを特徴とする請求項４記載の頭皮ケア器。
【請求項６】
外側に設けられた前記回転施療子を回転させるための伝達機構の一部を、傘歯車を用いて傾斜させたことを特徴とする請求項５記載の頭皮ケア器。
【発明の詳細な説明】
【技術分野】
【０００１】
本発明は、複数の施療子を備えた頭皮ケア器に関するものである。
【背景技術】
【０００２】
従来、この種の頭皮ケア器としては、駆動部と、この駆動部によって動作するブラシ部とを有し、このブラシ部が、可撓性を有する材質から成る基板と、この基板の表面に突出して設けられた複数の突起とを備え、基板が下に撓んだ湾曲凸状態と上に撓んだ湾曲凹状態との間で変形を繰り返すことで、複数の突起が揺動して頭皮をケアすることができるものがある（例えば特許文献１）。
【０００３】
また、人体の頭皮と接触し、駆動源の駆動により動作される施術子の施術突起にて前記頭皮に刺激を付与する頭皮ケア器であって、施術子の施術突起が前回転軸を周回するように回転する頭皮ケア器がある（例えば特許文献２）。
【先行技術文献】
【特許文献】
【０００４】
【特許文献１】特開２０１１−１９８号公報
【特許文献２】特開２０１３−２０８２３１号公報
【発明の概要】
【発明が解決しようとする課題】
【０００５】
前者の頭皮ケア器は、基板が撓むことにより、複数の突起同士の先端側が開いたり閉じたりするように駆動されるものであるが、前記基板が引き込まれて湾曲凹状態になった際に前記突起同士の先端側が閉じるように動く（即ち、突起が頭皮から離れる方向に動きながら先端側が閉じるように動く）ため、特に、ブラシ部の内側の突起が強い刺激を与えにくいという問題があった。
【０００６】
また、後者の頭皮ケア器は、複数の施療子が逆方向に回転駆動することにより頭皮に刺激を与えるものであるが、人の手によるマッサージ動作とは異なる動きをするため、頭皮ケアの効果には限界があった。更に、後者の頭皮ケア器は、モータの回転を伝達するために平歯車を組み合わせる必要があるため、施療子の回転面が平面的にならざるを得ず、凸曲面状の頭皮を効果的にマッサージしにくいという問題もあった。
【０００７】
本発明は以上の問題点を解決し、人の手に近い動作により頭皮ケア効果を向上させることができる頭皮ケア器を提供することを目的とする。
【課題を解決するための手段】
【０００８】
本発明の請求項１に記載の頭皮ケア器は、フレームと、このフレームに収納される電動機と、この電動機の回転運動を伝達する伝達機構と、この伝達機構に接続された施療子とを有する頭皮ケア器において、前記伝達機構が、回転機構部と、この回転機構部の回転を往復動に変換する変換機構部とを備え、前記施療子が、前記回転機構部に接続した回転施療子と、前記変換機構部に接続した往復施療子とを備えることを特徴とする。
【０００９】
また、本発明の請求項２に記載の頭皮ケア器は、請求項１において、前記回転施療子及び往復施療子が面対称状に配列されていると共に、面対称状となる前記回転施療子の第一部分と第二部分とが、逆方向に回転することを特徴とする。
【００１０】
また、本発明の請求項３に記載の頭皮ケア器は、請求項２において、前記第一部分と第二部分の回転施療子が、面対称で回転することを特徴とする。
【００１１】
さらに、本発明の請求項４に記載に頭皮ケア器は、請求項３において、前記第一部分と第二部分とが、それぞれ複数の回転施療子を有すると共に、前記第一部分の回転施療子同士及び第二部分の回転施療子同士が、同一方向に回転することを特徴とする。
【００１２】
しかも、本発明の請求項５に記載に頭皮ケア器は、請求項４において、前記伝達機構のうち、外側に設けられた回転施療子を回転させるための部分を、内側に設けられた回転施療子を回転させる部分に対して内側に傾けて設けたことを特徴とする。
【００１３】
また、本発明の請求項６に記載に頭皮ケア器は、請求項５において、外側に設けられた前記回転施療子を回転させるための伝達機構の一部を、傘歯車を用いて傾斜させたことを特徴とする。
【発明の効果】
【００１４】
本発明の請求項１に記載の頭皮ケア器は、以上のように構成することにより、回転運動を行う回転施療子と、往復運動する往復施療子の組み合わせにより、従来に比べて人の手に近い動きでマッサージをすることができるので、頭皮ケア効果を向上させることができる。
【００１５】
なお、前記回転施療子及び往復施療子を面対称状に配列し、面対称状となる前記回転施療子の第一部分と第二部分とを、逆方向に回転させることにより、人が両手でマッサージをするのに近い動きでマッサージをすることができるので、頭皮ケア効果を向上させることができる。
【００１６】
また、前記第一部分と第二部分とを、面対称で回転させることにより、頭皮に当てた回転施療子が回転しても、回転に伴うケーシングを移動しようとする力が打ち消され、頭皮に対してケーシングを移動させようとする力が発生せず、ケーシングを容易に安定して保持することができる。
【００１７】
更に、前記第一部分と第二部分とが、それぞれ複数の回転施療子を有し、前記第一部分の回転施療子同士と第二部分の回転施療子同士を、それぞれ同一方向に回転させることにより、頭皮ケア効果を向上させることができる。
【００１８】
しかも、前記伝達機構のうち、外側に設けられた回転施療子を回転させるための部分を、内側に設けられた回転施療子を回転させる部分に対して内側に傾けることにより、頭皮の湾曲形状に倣って回転施療子の先端を頭皮に当てることができるので、頭皮ケア効果を向上させることができる。
【００１９】
また、外側に設けられた前記回転施療子を回転させるための伝達機構の一部を、傘歯車を用いて傾斜させたことにより、円滑に回転駆動することができる。
【図面の簡単な説明】
【００２０】
【図１】本発明の実施例１を示す頭皮ケア器の斜視図である。
【図２】同上、内部機構の底面図である。
【図３】同上、内部機構の正面図である。
【図４】同上、内部機構の平面図である。
【図５】同上、前側から見た内部機構の斜視図である。
【図６】同上、後側から見た内部機構の斜視図である。
【図７】同上、上中間伝達歯車の側面図である。
【図８】同上、前側駆動歯車群の要部の側面図である。
【図９】同上、歯車の並びを説明する説明図である。
【図１０】同上、回転施療子の取付構造を示す断面図であり、（Ａ）に対して（Ｂ）は歯車が１８０度回転した状態を示す。
【図１１】同上、往復施療子の取付構造を示す断面図であり、（Ａ）に対して（Ｂ）は歯車が９０度回転した状態、（Ｃ）は１８０度回転した状態、（Ｄ）は２７０度回転した状態を示す。
【図１２】同上、回転施療子と往復施療子の駆動を説明する説明図である。
【発明を実施するための最良の形態】
【００２１】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２２】
図１乃至図１１は実施例１を示している。１は、本発明の頭皮ケア器である。この頭皮ケア器１は、フレーム２と、電動機３と、この電動機３の回転運動を伝達する伝達機構４と、この伝達機構４に接続された施療子たる回転施療子５及び往復施療子６とを備えている。なお、前記電動機３と伝達機構４は、前記フレーム２に支持されている。また、前記伝達機構４は、回転機構部７と、この回転機構部７の回転を往復動に変換する変換機構部８とを備え、前記回転機構部７に複数の前記回転施療子５が接続され、前記変換機構部８に複数の前記往復施療子６が接続されている。
【００２３】
図３等に示すように、前記電動機３は、歯車ケース１４を介して、前側に駆動軸３Ａを有し、この駆動軸３Ａに駆動歯車１５が設けられている。なお、前記電動機３、歯車ケース１４及び駆動軸３Ａは、前記フレーム２に対して前後方向に配置されている。また、前記駆動歯車１５には、この駆動歯車１５の回転を減速する減速機構１６が接続されている。なお、前記電動機３の回転は、前記駆動軸３Ａに至るまでの間に、前記歯車ケース１４内で予め減速されている。また、以下、単に歯車と記したものは、平歯車である。
【００２４】
前記減速機構１６は、第一減速歯車１７と第二減速歯車１８とを備えている。前記第一減速歯車１７は、歯数の多い大歯車部１７Ｂと歯数の少ない小歯車部１７Ｓとを一体に備えている。前記大歯車部１７Ｂは、この大歯車部１７Ｂより歯数が少ない前記駆動歯車１５と噛み合い、前記小歯車部１７Ｓは、この小歯車部１７Ｓより歯数が多い第二減速歯車１８と噛み合う。そして、これら第一及び第二減速歯車１７，１８の回転軸は、歯車カバー１９により前後方向に軸支されている。そして、前記駆動歯車１５、第一減速歯車１７及び第二減速歯車１８により、前後方向を回転中心とした上部減速歯車群２０が構成されている。
【００２５】
前記上部減速歯車群２０の下方に、前記フレーム２に対して上下方向を回転中心とする上側中間伝達歯車２１が回動自在に軸支されている。この上側中間伝達歯車２１は、前記第二減速歯車と噛み合う冠歯車２２が上部に設けられ、この冠歯車２２の下部に歯車２３が一体に設けられている。
【００２６】
また、前記上側中間伝達歯車２１の下方には、下側中間伝達歯車２５が回動可能に軸支されている。この下側中間伝達歯車２５は、歯数の少ない小歯車部２５Ｓと歯数の多い大歯車部２５Ｂとを有している。そして、前記小歯車部２５Ｓは、前記歯車２３と噛み合っている。
【００２７】
図２等に示すように、前記大歯車部２５Ｂには、前記往復施療子６を駆動する後側駆動歯車２６が噛み合っている。また、前記大歯車部２５Ｂには、前記回転施療子５を駆動する前側駆動歯車群３１が接続されている。そして、前記上部減速歯車群２０、後側駆動歯車２６及び前側駆動歯車群３１により、前記電動機３の回転運動を伝達する前記伝達機構４が構成されている。
【００２８】
以下、前記前側駆動歯車群３１について説明する。この前側駆動歯車群３１は、同一構成で相互に噛み合う左右一対の中央歯車３２Ｌ，３２Ｒを有し、一方の中央歯車３２Ｒが前記大歯車部２５Ｂと噛み合っている。また、外側左右の前記回転施療子５に対応して、左右に外側歯車３３Ｒ，３３Ｌが配置されている。なお、隣接する前記中央歯車３２Ｌと外側歯車３３Ｌとの間、及び中央歯車３２Ｒと外側歯車３３Ｒとの間に、それぞれ伝達歯車３４Ｌ，３４Ｒが配置されている。
【００２９】
また、前記中央歯車３２Ｌと中央歯車３２Ｒは、同一構成である。同様に、前記外側歯車３３Ｌと外側歯車３３Ｒは、同一構成である。また、前記中央歯車３２Ｌ，３２Ｒと外側歯車３３Ｌ，３３Ｒの歯数は同じである。従って、前記中央歯車３２Ｌ，３２Ｒが一回転すると、前記外側歯車３３Ｌ，３３Ｒも一回転するように構成されている。更に、一対の前記中央歯車３２Ｌ，３２Ｒに対して、前記外側歯車３３Ｌ，３３Ｒは、斜め後側に位置する。具体的には、一対の前記中央歯車３２Ｌ，３２Ｒの中心を結ぶ仮想線を１０１、前記中央歯車３２Ｌと外側歯車３３Ｌの中心を結んだ仮想線を１０２、前記中央歯車３２Ｒと外側歯車３３Ｒの中心を結んだ仮想線を１０３とすると、仮想線１０１と仮想線１０２とがなす角度θ１、及び仮想線１０１と仮想線１０３とがなす角度θ２は、何れも５〜３５度、好ましくは２０度である。また、前記中央歯車３２Ｒと大歯車部２５Ｂと後側駆動歯車２６は同一歯数であり、これらの回転中心が一直線上に並んでいる。更に、前記大歯車部２５Ｂ、中央歯車３２Ｌ，３２Ｒ、及び外側歯車３３Ｌ，３３Ｒは、その回転軸が全て前記フレーム２の上下方向に向いており、全て平行である。
【００３０】
従って、図９において、前記大歯車部２５Ｂが右回りに回転すると、これと噛み合っている前記中央歯車３２Ｒは左回りに回転する。また、この中央歯車３２Ｒと噛み合っている前記中央歯車３２Ｌは右回りに回転する。また、前記伝達歯車３４Ｒを介して前記中央歯車３２Ｒに接続されている前記外側歯車３３Ｒは、左回りに回転する。更に、前記伝達歯車３４Ｌを介して前記中央歯車３２Ｌに接続されている前記外側歯車３３Ｌは、右回りに回転する。なお、前記大歯車部２５Ｂが一回転すると、前記中央歯車３２Ｌ，３２Ｒ及び外側歯車３３Ｌ，３３Ｒが、何れも一回転する。
【００３１】
更に、前記前側駆動歯車群３１は、前記外側歯車３３Ｌ，３３Ｒの下部に、傘歯車３５Ｌ，３５Ｒをそれぞれ一体に設けている。そして、これらの傘歯車３５Ｌ，３５Ｒは、左右両側の前記回転施療子５，５を駆動する従動側傘歯車３６Ｌ，３６Ｒとそれぞれ噛み合っている。なお、これらの傘歯車３５Ｌ，３５Ｒ，３６Ｌ，３６Ｒは、歯筋がピッチ円錐の母直線と一致する直歯傘歯車である。また、前記傘歯車３６Ｌ，３６Ｒは、それぞれの中心軸線１３６Ｌ，１３６Ｒが、前記外傘歯車３５Ｌ，３５Ｒの中心軸線１３５Ｌ，１３５Ｒに対し、前記中央歯車３２Ｌ，３２Ｒに向かって角度θ傾斜している。なお、この角度θは、１５度程度である。即ち、前記傘歯車３６Ｌ，３６Ｒの回転中心軸１３６Ｌ，１３６Ｒは、それぞれ前記中央歯車３２Ｌ，３２Ｒ側に向かって、左右方向内側後向きに傾斜している。
【００３２】
また、図３及び図８に示すように、前記従動側傘歯車３６Ｌ，３６Ｒの下部には、それぞれ鍔部３６Ｔが周設され、前記フレーム２に設けた円形溝部（図示せず）内に、前記鍔部３６Ｔが回動可能に支持されている。以上が前記前側駆動歯車群３１の構成である。そして、前記上部減速歯車群２０及び前側駆動歯車群３１により、前記回転機構部７が構成されている。
【００３３】
次に、前記往復施療子６を接続した前記変換機構部８について説明する。図１１に示すように、前記後側駆動歯車２６の下面には、この駆動歯車２６の回転中心から偏心した位置に、カム突起４１が設けられている。このカム突起４１の先端部は球形状をなす。そして、前記往復施療子６を取り付ける中間取付体４２は、前記カム突起４１が係入するカム枠部４３と、中間取付部４４と、この中間取付部４４から左右に突出した軸部４５，４５を一体に設けている。なお、前記カム枠部４３は、左右方向に長く形成されており、その左右方向の内寸長さは、前記カム突起４１の回転軌跡の外径Ｄ以上である。また、前記軸部４５，４５は、取付ケース４６により回動可能に軸支されている。なお、前記カム突起４１は、前記カム枠部４３内に位置している。従って、前記後側駆動歯車２６が回転すると、前記カム突起４１が円運動し、このカム突起４１の回転運動のうち、前後方向の動きのみを前記カム枠部４３が抽出することで、前記中間取付体４２が前記軸部４５，４５を中心に前後に揺動する。
【００３４】
前記中間取付体４２には、施療体４７が取り付けられている。この施療体４７は、横長の連結部４８と、この連結部４８の左右両端から突出して設けられた一対の取付部４９，４９を備えている。そして、前記連結部４８の中央を、前記中間取付体４２の中間取付部４４に固定している。更に、前記取付部４９，４９に、それぞれ施療子本体５１，５１を連結している。そして、これらの施療子本体５１，５１と前記取付部４９，４９により、前記往復施療子６が構成されている。
【００３５】
図１に示すように、施療子本体５１は、前記取付部４９に外装される円筒状の筒部５５と、この筒部５５の先端に突設された複数（３本）の施療用突起５６とを有している。また、この施療用突起５６は、円筒状に形成されていると共に、その先端に複数（３個）の小突起５７が設けられている。なお、前記施療子本体５１は、エラストマーやシリコンゴム等の弾性材料から形成することができる。
【００３６】
次に、前記回転施療子５の駆動機構について説明する。図３及び図１０に示すように、前記中央歯車３２Ｌ，３２Ｒ及び外側歯車３３Ｌ,３３Ｒの下面には、これらの回転中心から偏心した位置に、カム受け部６１が設けられている。これらのカム受け部６１は、円筒部の内側により構成されている。
【００３７】
前記回転施療子５は、取付軸６５と、前記施療子本体５１とからなる。そして、前記取付軸６５の上部には、前記カム受け部６１内に挿入されるカム部６６が形成されている。なお、このカム部６６は、球状に形成されている。また、前記取付軸６５の下部に、前記施療子本体５１を取り付ける取付部６７が形成されている。
【００３８】
更に、前記取付軸６５の長さ方向略中央には、揺動係合部６８が形成されている。この揺動係合部６８は、上下の部分より太く形成され、その外面が略球面に形成されている。そして、前記揺動係合部６８には、前記取付軸６５の軸方向と直交するように、軸挿通孔６９が貫通形成されており、この軸挿通孔６９に支軸７０が挿通されている。なお、図１０に示すように、前記軸挿通孔６９は、その中央部が前記支軸７０の直径より僅かに広く、且つ、中央部から外側に向かって内径が拡大する拡大部７１，７１が形成されている。即ち、前記軸挿通孔６９は鼓状に形成されている。更に、前記揺動係合部６８は、取付ケース７２に形成された球面状の受け部７３によって、揺動可能に支持されている。
【００３９】
図１０に示すように、前記回転施療子５を取り付ける前記取付ケース７２は、前記支軸７０の端部を挿入して取り付ける取付部たる支軸取付孔７４を有する。なお、前記取付ケース７２は、二分割された分割ケース７２Ａ,７２Ａからなり、支軸７０と共に前記取付軸６５を組み込んだ状態で、前記分割ケース７２Ａ,７２Ａを組み立ててなる。
【００４０】
図１２は、前記回転施療子５と往復施療子６の動作を説明する図面である。同図に示すように、対称面８１を基準として、左右の前記中央歯車３２Ｌ,３２Ｒ同士、左右の前記外側歯車３３Ｌ,３３Ｒ同士、及び左右の前記往復施療子６,６同士は、面対称の位置にある。また、前記対称面８１を表す線上において、前記歯車３２Ｌ,３２Ｒ,３３Ｌ,３３Ｒの中心と基準点８２を結ぶ仮想線１３２Ｌ,１３２Ｒ,１３３Ｌ,１３３Ｒの長さは略等しく、且つ、前記対称面８１を表す線に対して、左右の中央歯車３２Ｌ,３２Ｒの仮想線１３２Ｌ,１３２Ｌとのなす角度θ３は等しく、仮想線１３２Ｌ,１３２Ｌと左右の外側歯車３３Ｌ,３３Ｒの仮想線１３３Ｌ,１３３Ｒとのなす角度θ４は等しい。また、前述した通り、前記歯車３２Ｌ,３２Ｒ,３３Ｌ,３３Ｒの直径及び歯数は等しい。そして、角度θ４は角度θ３の２倍強である。具体的には、本実施例では、角度θ３を９度、角度θ４を２１度とする。また、この角度θ４は、前記角度θ１及びθ２よりもやや大きい。なお、各支軸７０は、前記仮想線１３２Ｌ,１３２Ｒ,１３３Ｌ,１３３Ｒの向きに沿って配置される。また、前記傘歯車３６Ｌ，３６Ｒの中心軸線１３６Ｌ，１３６Ｒは、前記仮想軸線１３３Ｌ,１３３Ｒを中心に角度θ傾斜している。
【００４１】
そして、前記回転施療子５と往復施療子６は、前記対称面８１の左右に位置する左側部分（第一部分）８３Ｌと右側部分（第二部分）８３Ｒが面対称となるように配置されていると共に、面対称状に動作する。具体的には、全ての前記回転施療子５,５,５,５は、前記仮想線１３２Ｌ,１３２Ｒ,１３３Ｌ,１３３Ｒの延長線上で、且つ前記基準点８２から最も離れた位置に回転施療子５の先端が位置する基準位置に、同時に位置することができる。この際、前記往復施療子６,６の先端は、往復動する外側位置（後側位置）にある。ここから、前記電動機３が動作すると、前記左側部分８３Ｌの回転施療子５,５の先端は、右回りに同一速度で回転し、右側部分８３Ｒの回転施療子５,５の先端は、左回りに同一速度で回転する。回転施療子５,５が前記基準位置から９０度回転した位置に「△」を付し、１８０度回転した位置に「○」を付し、２７０度回転した位置に「×」を付しており、３６０度回転して戻った基準位置に「●」を付している。また、往復施療子６にも対応する位置に「●」「△」「○」「×」を付した。即ち、前記回転施療子５,５が前記基準位置から９０度回転した位置の「△」では、前記往復施療子６は中間位置、前記回転施療子５,５が１８０度回転した位置では、前記往復施療子６は内側位置（前側位置）、前記回転施療子５,５が２７０度回転した位置では、前記往復施療子６は中間位置、前記回転施療子５,５が３６０度回転した位置では、往復施療子６は外側位置となる。なお、左右の前記往復施療子６,６は、同一動作をなす。従って、前記回転施療子５と往復施療子６は「●」から「○」の間に相互の先端が近付くように駆動し、「○」から「●」の間に相互の先端が離れるように駆動する。
【００４２】
上記のように、前記左側部分８３Ｌと右側部分８３Ｒで、前記施療子５,６は面対称形に配置されると共に、面対称状に動作する。
【００４３】
そして、図示しないスイッチにより、前記電動機３を駆動し、頭皮に前記施療子５,６を当てると、前記回転施療子５の先端が円運動し、前記往復施療子６の先端が前後に往復動して、頭皮をマッサージすることができる。この際、中央の２つの回転施療子５,５が、あたかも両手の人差し指のように、左右外側の回転施療子５,５が、あたかも両手の中指のように、頭皮をマッサージすることができる。加えて、これら４つの回転施療子５,５,５,５から離れた位置の前記往復施療子６が、あたかも両手の親指のように頭皮をマッサージすることができる。この結果、前記回転施療子５と往復施療子６とが、前記回転施療子５の回転を伴いながら、相互に近寄ったり離れたりする動作を繰り返すので、全体として、あたかも手で頭皮を掴んで揉むようにしてマッサージを行うことができる。
【００４４】
また、前記左側部分８３Ｌと右側部分８３Ｒで回転施療子５の先端が同期して逆方向に回転するため、頭皮に前記回転施療子５を当てた状態で前記頭皮ケア器１が揺れず、安定して円運動を行わせることができる。即ち、仮に全ての前記回転施療子５を同一方向に回転させた状態で頭皮に当てると、発生するトルクの反作用により、前記頭皮ケア器１を反回転方向に移動させる力が発生する。そして、これを抑えるためには、前記頭皮ケア器１が動かないように、使用者がしっかりと把持しなければならない。しかしながら、本実施例では、前記左側部分８３Ｌと右側部分８３Ｒで、前記回転施療子５が面対称状に駆動することで、前記頭皮ケア器１を移動させる力が打ち消されるため、容易に安定して把持することができる。
【００４５】
このように、本実施例では、フレーム２と、このフレーム２に収納される電動機３と、この電動機３の回転運動を伝達する伝達機構４と、この伝達機構４に接続された施療子とを有する頭皮ケア器において、前記伝達機構４が、回転機構部７と、この回転機構部７の回転を往復動に変換する変換機構部８とを備え、前記施療子が、前記回転機構部７に接続されて回転運動を行う回転施療子５と、前記変換機構部８に接続されて往復運動を行う往復施療子６とを備えることで、従来に比べて人の手に近い動きでマッサージすることができるので、頭皮ケア効果を向上させることができる。
【００４６】
また、本実施例では、前記回転施療子５及び往復施療子６を面対称状に配列すると共に、面対称状となる前記回転施療子５の第一部分である左側部分８３Ｌと、第二部分である右側部分８３Ｒとを、逆方向に回転させることにより、人が両手でマッサージをするのに近い動きでマッサージすることができるので、頭皮ケア効果を向上させることができる。
【００４７】
また、本実施例では、前記左側部分８３Ｌの回転施療子５と右側部分８３Ｒの回転施療子５とを、面対称で回転させることにより、頭皮に当てた前記回転施療子５,５が回転しても、回転に伴う前記頭皮ケア器１を移動させようとする力が打ち消されるので、頭皮に対して前記頭皮ケア器１を移動させようとする力が発生せず、この頭皮ケア器１を容易に安定して保持することができる。
【００４８】
更に、本実施例では、前記左側部分８３Ｌと右側部分８３Ｒとが、それぞれ複数の回転施療子５,５を有すると共に、前記左側部分８３Ｌの回転施療子５,５同士及び前記右側部分８３Ｒの回転施療子５,５同士を、それぞれ同一方向に回転させることにより、人が両手で行うマッサージにより近付けてマッサージすることができるので、頭皮ケア効果を向上させることができる。
【００４９】
しかも、本実施例では、前記伝達機構４のうち、外側に設けられた回転施療子５,５を回転させるための部分である従動側傘歯車３６Ｌ，３６Ｒを、内側に設けられた回転施療子５，５を回転させる部分である中央歯車３２Ｌ,３２Ｒに対して内側に傾けて設けることにより、頭皮の湾曲形状に倣って前記回転施療子５,５の先端を頭皮に当てることができるので、頭皮ケア効果を向上させることができる。
【００５０】
また、本実施例では、外側に設けられた前記回転施療子５を回転させるための伝達機構４の一部を、傘歯車３６を用いて傾斜させたことにより、傾けた前記回転施療子５を円滑に回転駆動させることができる。
【００５１】
また、実施例上の効果として、回転中心が前後方向の上部減速歯車群１９と、回転中心が上下方向の前側駆動歯車群３１及び後側駆動歯車２６とを、上側中間伝達歯車２１及び下側中間伝達歯車２５で連結したことにより、前記フレーム２、ひいては前記頭皮ケア器１の小型化が可能となる。また、中央の前記回転施療子５,５に対して外側の前記回転施療子５,５を斜め後側に配置し、更に、従動側傘歯車３６の回転中心を、前記中央歯車３２Ｌ,３２Ｒの回転中心に対して内側後向きに傾斜させたことにより、人の指に近いマッサージ感覚が得られる。また、前記変換機構部８を、前記後側駆動歯車２６に設けたカム突起４１と、このカム突起４１が係入するカム枠部４３と、このカム枠部４３を軸支する取付ケース４６とを有するように構成したことにより、回転運動を往復運動に変換する機構をコンパクト化することができる。更に、前記取付軸６５の揺動係合部６８の軸挿通孔６９に支軸７０を挿通したことで、前記取付軸６５、ひいてはこれに取り付けられる前記施療子本体５１が、その軸回りに回動するのが前記支軸７０によって妨げられるので、マッサージ時に前記施療子本体５１によって頭皮をしっかり掴んで効果的にマッサージすることができる。また、この際、前記揺動係合部６８と軸挿通孔６９との係合により、前記カム部６６が前記中央歯車３２Ｌ,３２Ｒ及び傘歯車３６Ｌ,３６Ｒの下面に当接しないように支持するため、カム機構を構成する前記カム部６６とカム受け部６１との動作を円滑に行うことができる。
【００５２】
なお、本発明は以上の実施例に限定されるものではなく、発明の要旨の範囲内で種々の変形実施が可能である。例えば、上記実施例では、往復施療子を左右一対設けたが、往復施療子を一つだけ設けてもよい。この場合、往復施療子は、対称面上に位置させることになる。また、上記実施例では、伝達機構及び回転機構部を歯車により構成したが、その全部又は一部をスプロケットとチェーン、又はプーリーと無端状ベルト等により構成してもよい。また、上記実施例では、施療子を面対称状に配置したが、請求項１においては、面対称状に配置しなくてもよく、左側部分（第一部分）と右側部分（第二部分）にそれぞれ複数、好ましくは同数の回転施療子を配置し、互いに逆方向に回転駆動するようにしてもよい。更に、上記実施例では、回転施療子は、その端部に形成されたカム部が中央歯車又は傘歯車に形成されたカム受部と係合するように構成されるが、回転施療子を中央歯車又は傘歯車と一体的に構成しても良い。
【符号の説明】
【００５３】
１  頭皮ケア器
２  フレーム
３  電動機
４  伝達機構
５  回転施療子
６  往復施療子
７  回転機構部
８  変換機構部
３５Ｌ，３５Ｒ  傘歯車
３６Ｌ，３６Ｒ  従動側傘歯車
４９  取付部
５１  施療子本体
６５  取付軸
８１  対称面
８２  基準点
８３Ｌ  左側部分（第一部分）
８３Ｒ  右側部分（第二部分）
【図１】
2015128486.tif 000003
【図２】
2015128486.tif 000004
【図３】
2015128486.tif 000005
【図４】
2015128486.tif 000006
【図５】
2015128486.tif 000007
【図６】
2015128486.tif 000008
【図７】
2015128486.tif 000009
【図８】
2015128486.tif 000010
【図９】
2015128486.tif 000011
【図１０】
2015128486.tif 000012
【図１１】
2015128486.tif 000013
【図１２】
2015128486.tif 000014